(57)【要約】【課題】基地局装置が端末装置に対してＭＳＳにより複数のサブフレームのリソースを割り当てることでフレームの利用効率が改善する。しかしながら、端末装置はフレーム毎に制御情報の検出の試行を行わなければならず、端末装置の消費電力が高くなる問題があった。【解決手段】複数のサブフレームからなるフレームで構成される信号を送信する基地局装置であって、少なくとも端末装置にリソースの割り当てを通知する為のデータを生成するＰＤＣＣＨ生成部と、少なくとも上位層のデータを通知する為のデータを生成するＰＤＳＣＨ生成部を有し、前記リソースの割り当てを通知する為のデータには、少なくとも複数のサブフレームのリソースを割り当てるためのサブフレーム数に関するデータが含まれ、前記上位層のデータには、前記複数のサブフレームのリソースを割り当てる為のデータが送信される周期に関する情報が含まれる。【選択図】図２
2016157990.tif 000002
【特許請求の範囲】
【請求項１】
複数のサブフレームからなるフレームで構成される信号を送信する基地局装置であって、
少なくとも端末装置にリソースの割り当てを通知する為のデータを生成するＰＤＣＣＨ生成部と、
少なくとも上位層のデータを通知する為のデータを生成するＰＤＳＣＨ生成部とを有し、
前記リソースの割り当てを通知する為のデータには、少なくとも複数のサブフレームのリソースを割り当てるためのサブフレーム数に関するデータが含まれ、
前記上位層のデータには、前記複数のサブフレームのリソースを割り当てる為のデータが送信される周期に関する情報が含まれることを特徴とする基地局装置。
【請求項２】
前記複数のサブフレームのリソースを割り当てる為のデータが送信される周期に関する情報を、アップリンクとダウンリンクで独立して定義することを特徴とする請求項１記載の基地局装置。
【請求項３】
前記複数のサブフレームのリソースを割り当てる為のデータが送信される周期に関する情報は、端末装置固有のサーチスペースに対する情報であることを特徴とする請求項１記載の基地局装置。
【請求項４】
前記基地局装置は複数のセルを用いて当該セル毎に複数のサブフレームからなるフレームで構成される信号を送信し、
前記複数のサブフレームのリソースを割り当てる為のデータが送信される周期に関する情報を、各セルに独立して定義することを特徴とする請求項１記載の基地局装置。
【請求項５】
前記基地局装置は通信先の端末装置に対してセルを追加する信号を送信し、
前記セルの追加を指示する為の信号を送信後、追加したセルに対する複数のサブフレームのリソースを割り当てる為のデータが送信される周期に関する情報を送信することを特徴とする請求項３記載の基地局装置。
【請求項６】
複数のサブフレームからなるフレームで構成される信号を受信する端末装置であって、
少なくともリソースの割り当てが通知される信号を復調するＰＤＣＣＨ復調部を有し、
前記ＰＤＣＣＨ復調部は、少なくともＰＤＣＣＨが通知される周期に従ってＰＤＣＣＨを復調し、
前記リソースの割り当てが通知される信号から、少なくとも複数のサブフレームのリソースを割り当てるためのサブフレーム数に関するデータを復調することを特徴とする端末装置。
【請求項７】
前記ＰＤＣＣＨが通知される周期は、前記端末装置が通信を行うシステムにおいて、あらかじめ定められた値であることを特徴とする請求項６記載の端末装置。
【請求項８】
更に前記端末装置は少なくとも上位層のデータを復調する為のＰＤＳＣＨ復調部を有し、
前記ＰＤＣＣＨが通知される周期は、前記上位層のデータを通じて通知されることを特徴とする請求項６記載の端末装置。
【請求項９】
前記端末装置は通信モードに応じて通信を行い、
前記ＰＤＣＣＨが通知される周期は、前記通信モードに応じて定められた値であることを特徴とする請求項６記載の端末装置。
【請求項１０】
前記ＰＤＣＣＨが通知される周期に従ってＰＤＣＣＨを復調するサーチスペースは端末装置固有のサーチスペースであることを特徴とする請求項６記載の端末装置。
【請求項１１】
複数のサブフレームからなるフレームで構成される信号を送信する基地局装置であって実施される通信方法であって、
少なくとも端末装置にリソースの割り当てを通知する為のデータを生成するステップと、
少なくとも上位層のデータを通知する為のデータを生成するステップを有し、
前記リソースの割り当てを通知する為のデータには、少なくとも複数のサブフレームのリソースを割り当てるためのサブフレーム数に関するデータが含まれ、
前記上位層のデータには、前記複数のサブフレームのリソースを割り当てる為のデータが送信される周期に関する情報が含まれることを特徴とする通信方法。
【発明の詳細な説明】
【技術分野】
【０００１】
本発明は、端末装置、基地局装置、および通信方法に関する。
【背景技術】
【０００２】
第３．９世代の携帯電話の無線通信システムであるＬＴＥ（Long Term Evolution）システム（Ｒｅｌ．８およびＲｅｌ．９）の標準化が完了し、現在は第４世代の無線通信システムの１つとして、ＬＴＥシステムをより発展させたＬＴＥ−Ａ（LTE-Advanced、IMT-Aなどとも称する。）システム（Ｒｅｌ．１０以降）の標準化が行われている。
【０００３】
ＬＴＥ−ＡシステムのＲｅｌ．１２では、セルカバレッジの小さいピコ基地局装置（Pico eNB；evolved Node B、SmallCell、Low Power Nodeとも呼称される）を密に配置するシナリオが検討されている。ピコ基地局装置に接続する端末装置（ユーザ装置、ＵＥ、移動局装置）は、移動速度の遅いことや、遅延スプレッドが小さい状況も想定されている。そのため、ピコ基地局装置に接続する端末装置のチャネルは周波数、時間変動が小さいことが想定されている。
【０００４】
ＬＴＥでは、リソースの割り当て（アップリンクではＰＵＳＣＨ：Physical Uplink Shared CHannel、ダウンリンクではＰＤＳＣＨ：Physical Downlink Shared Channelがリソースに相当する）にＰＤＣＣＨ（Physical Downlink Control Channel）が使用される。ＰＤＣＣＨは各フレームの先頭に配置され、端末装置はそれをブラインドデコーディング（ＢＤ：Blind Decoding）することで、自端末装置への割り当てを識別する。
【０００５】
ここで、ＰＤＣＣＨには、ＤＣＩ（Downlink Control Information）フォーマットと呼ばれる帯域の割り当てに関する情報が示されるフィールドが存在する。ＤＣＩフォーマットでは、アップリンクの帯域割り当て（フォーマット０もしくはフォーマット４と呼ばれている）や、ダウンリンクの連続的な帯域の割り当てに使用するもの（フォーマット１Ａと呼ばれている）や離散的な帯域の割り当てに使用するもの（フォーマット１と呼ばれている）が存在する。ダウンリンクの帯域割り当ては、その他にも複数の送受信アンテナを用いて同一時刻・同一周波数を用いて空間的に並列に信号を送信するＭＩＭＯ（Multiple-Input Multiple-Output）多重伝送など（フォーマット２など）がフォーマットとして規定されている。
【０００６】
ＬＴＥシステムでは、各ＤＣＩフォーマットを構成するビットの長さと配置される周波数帯域のＰＤＣＣＨが規定されている。端末装置がＤＣＩフォーマットを検出する方法は、ＰＤＣＣＨに配置されているＤＣＩフォーマットを取得し、ＤＣＩフォーマットのビットの長さに関する情報を元にブラインドデコードと誤り検出を行う巡回冗長検査（ＣＲＣ：Cyclic Redundancy Check）を複数回行う。端末装置は、基地局装置からどのＤＣＩフォーマットなのかを別途通知されることなく、どのフォーマットが送信されたとしても検出できる。そのため、帯域割り当て情報を示すデータサイズが異なるフォーマットが増えると、ブラインドデコードを試行する回数が増加することでデータ送信に要するオーバヘッドが増加する。現行のＬＴＥシステムでは、ブラインドデコードの回数を抑制する為に、数ビットの差異がある帯域割り当て情報の一部のフォーマットについて、サイズの違い分をパディングすることでデータ長を統一し、フォーマット数の増加を抑制している。
【０００７】
周波数利用効率を向上する手法として、マルチサブフレームスケジューリング（multi-subframe scheduling、ＭＳＳ、multi-TTI schedulingとも呼称される）が提案されている（非特許文献１参照）。ＭＳＳでは、複数の連続するサブフレームを割り当てる。Ｒｅｌ．１１以前の仕様では、１つの制御情報でスケジューリングできるリソースは１サブフレームのみである。ただし、ｓｅｍｉ−ｐｅｒｓｉｓｔｅｎｔスケジューリングを用いる場合には、周期的に使用可能なリソースを割り当てる。そのため、連続するサブフレームを割り当てる場合には複数の制御情報でスケジューリングする必要があったが、ＭＳＳを用いることで、１つの制御情報で連続するサブフレームを割り当てることができるため、制御情報量の削減が可能となる。
【先行技術文献】
【非特許文献】
【０００８】
【非特許文献１】Huawei, HiSilicon，“Analysis on control signaling enhancements”， R1-130892，April 15-19, 2013
【発明の概要】
【発明が解決しようとする課題】
【０００９】
基地局装置が各端末装置に対してＭＳＳにより複数のサブフレームのリソースを割り当てることができるため、フレームの利用効率が改善する。しかしながら、端末装置はフレーム毎にブラインドデコーディング（制御情報の検出の試行）を行わなければならず、端末装置で重要なファクタである消費電力が高くなる問題があった。
【００１０】
本発明は上記の点に鑑みてなされたものであり、基地局装置がＭＳＳを用いる場合に端末装置が行うブラインドデコーディングの演算量を減らすことで、端末装置の消費電力の削減を実現することである。
【課題を解決するための手段】
【００１１】
（１）本発明は上記の課題を解決するためになされたものであり、本発明の一態様は、複数のサブフレームからなるフレームで構成される信号を送信する基地局装置であって、少なくとも端末装置にリソースの割り当てを通知する為のデータを生成するＰＤＣＣＨ生成部と、少なくとも上位層のデータを通知する為のデータを生成するＰＤＳＣＨ生成部とを有し、前記リソースの割り当てを通知する為のデータには、少なくとも複数のサブフレームのリソースを割り当てるためのサブフレーム数に関するデータが含まれ、前記上位層のデータには、前記複数のサブフレームのリソースを割り当てる為のデータが送信される周期に関する情報が含まれる。
【００１２】
（２）また、本発明の一態様は、前記複数のサブフレームのリソースを割り当てる為のデータが送信される周期に関する情報を、アップリンクとダウンリンクで独立して定義する。
【００１３】
（３）また、本発明の一態様は、前記複数のサブフレームのリソースを割り当てる為のデータが送信される周期に関する情報は、端末装置固有のサーチスペースに対する情報である。
【００１４】
（４）また、本発明の一態様は、前記基地局装置は複数のセルを用いて当該セル毎に複数のサブフレームからなるフレームで構成される信号を送信し、前記複数のサブフレームのリソースを割り当てる為のデータが送信される周期に関する情報を、各セルに独立して定義する。
【００１５】
（５）また、本発明の一態様は、前記基地局装置は通信先の端末装置に対してセルを追加する信号を送信し、前記セルの追加を指示する為の信号を送信後、追加したセルに対する複数のサブフレームのリソースを割り当てる為のデータが送信される周期に関する情報を送信する。
【００１６】
（６）また、本発明の一態様は、複数のサブフレームからなるフレームで構成される信号を受信する端末装置であって、少なくともリソースの割り当てが通知される信号を復調するＰＤＣＣＨ復調部を有し、前記ＰＤＣＣＨ復調部は、少なくともＰＤＣＣＨが通知される周期に従ってＰＤＣＣＨを復調し、前記リソースの割り当てが通知される信号から、少なくとも複数のサブフレームのリソースを割り当てるためのサブフレーム数に関するデータを復調する。
【００１７】
（７）また、本発明の一態様は、前記ＰＤＣＣＨが通知される周期は、前記端末装置が通信を行うシステムにおいて、あらかじめ定められた値である。
【００１８】
（８）また、本発明の一態様は、更に前記端末装置は少なくとも上位層のデータを復調する為のＰＤＳＣＨ復調部を有し、前記ＰＤＣＣＨが通知される周期は、前記上位層のデータを通じて通知される。
【００１９】
（９）また、本発明の一態様は、前記端末装置は通信モードに応じて通信を行い、
前記ＰＤＣＣＨが通知される周期は、前記通信モードに応じて定められた値である。
【００２０】
（１０）また、本発明の一態様は、前記ＰＤＣＣＨが通知される周期に従ってＰＤＣＣＨを復調するサーチスペースは端末装置固有のサーチスペースである。
【００２１】
（１１）また、本発明の一態様は、複数のサブフレームからなるフレームで構成される信号を送信する基地局装置であって実施される通信方法であって、少なくとも端末装置にリソースの割り当てを通知する為のデータを生成するステップと、少なくとも上位層のデータを通知する為のデータを生成するステップを有し、前記リソースの割り当てを通知する為のデータには、少なくとも複数のサブフレームのリソースを割り当てるためのサブフレーム数に関するデータが含まれ、前記上位層のデータには、前記複数のサブフレームのリソースを割り当てる為のデータが送信される周期に関する情報が含まれる。
【発明の効果】
【００２２】
本発明によれば、端末装置の消費電力の削減が可能となる。
【図面の簡単な説明】
【００２３】
【図１】本発明に係るシステムの構成の一例を示す図である。
【図２】本発明に係る基地局装置１０１の構成の一例を示す図である。
【図３】本発明に係る端末装置１０２の構成の一例を示す図である。
【図４】ＬＴＥのフレームを構成する示す図である。
【図５】本発明に係る基地局装置から端末装置に上位層で通知する信号の一例を示す図である。
【発明を実施するための形態】
【００２４】
以下、図面を参照しながら、実施形態について説明する。図１は、本発明に係るシステムの構成の一例を示す。該システムは、基地局装置１０１、端末装置１０２、端末装置１０３から構成される。なお、端末装置の数は２に限定されない他、各装置のアンテナ数は１であってもよい。また、図１には示していないが、基地局装置よりも小電力で送信を行うピコ基地局装置（Pico eNB；evolved Node B、SmallCell、Low Power Nodeとも呼称される）がシステム内に存在し、端末装置の少なくとも１つがピコ基地局装置と通信を行ってもよい。
【００２５】
図２に、本発明に係る基地局装置１０１の構成の一例を示す。ただし、本発明に必要なる最低限のブロックを示している。ＰＤＳＣＨ生成部６０３は、上位層で通知される制御データや情報ビットを伝送する物理チャネルで送信する信号を生成する。ＰＤＣＣＨ生成部６０４は、物理層を制御するデータ、例えば、無線リソースを割り当てのための信号である制御信号を含むＤＣＩ（Downlink Control Information）を伝送する物理チャネルで送信する信号を生成する。ここで、ＤＣＩはＰＤＣＣＨで送信される場合とＥＰＤＣＣＨ（Enhanced PDCCH）で送信される場合がある。ＰＤＣＣＨで送信されるＤＣＩは、サブフレーム内の１番目から４番目のＯＦＤＭシンボルに配置される。また、ＥＰＤＣＣＨで送信されるＤＣＩは、複数のリソースブロックに配置される。ただし、リソースブロックは１サブフレーム、１２サブキャリアより構成される。ＰＤＣＣＨ生成部６０４により生成される信号は、ＰＤＣＣＨで送信するＤＣＩとＥＰＤＣＣＨで送信するＤＣＩの両方が含まれるものとする。信号多重部６０５では、ＰＤＳＣＨ生成部６０３から入力されるＰＤＳＣＨとＰＤＣＣＨ生成部６０４から入力されるＰＤＣＣＨとＥＰＤＣＣＨを多重し、フレーム構成を形成する。ただし、信号多重部６０５はフレーム構成時に必ずしもＰＤＣＣＨとＥＰＤＣＣＨの両方が必要なわけではなく、いずれか一方のみでも良い。ＰＤＣＣＨには、端末装置に対して送受信の割り当てを行うＤＣＩが含まれている。
【００２６】
信号多重部６０５の出力する信号はＤＬ信号送信部に入力され、ＩＦＦＴ（Inverse Fast Fourier Transform）やＤ／Ａ（Digital-to-Analog）変換、搬送波周波数へのアップコンバージョンによって送信信号に変換され、送信アンテナ６０７を介して端末装置に送信される。
【００２７】
図３に、本発明に係る端末装置１０２の構成の一例を示す。ただし、本発明に必要なる最低限のブロックを示している。また、端末装置１０３も同様の構成とする。端末装置は、受信アンテナ７０３で基地局が送信したデータを受信し、ＤＬ信号受信部７００に入力する。ＤＬ信号受信部７００は受信信号をベースバンド周波数へのダウンコンバート、Ａ／Ｄ（Analog-to-Digital）変換、ＦＦＴにより変換する。さらに、ＤＬ信号受信部７００はＦＦＴにより得られた周波数信号をＰＤＣＣＨとＥＰＤＣＣＨとＰＤＳＣＨの信号に分離し、ＰＤＣＣＨとＥＰＤＣＣＨの信号をＰＤＣＣＨ復調部７０１に入力し、ＰＤＳＣＨの信号をＰＤＳＣＨ復調部７０２に入力する。ＰＤＣＣＨ復調部７０１は、入力されたＰＤＣＣＨの信号列に対して、ユーザＩＤであるＲＮＴＩ（Radio Network temporary Identifier）に基づいて決定されるユーザ固有のサーチスペース（ＵｅＳＳ：UE-specific Search Space）と接続している端末装置で共通のサーチスペース（ＣｏＳＳ：Common Search Space）をブラインドデコーディングすることでＰＤＣＣＨを復調する。ＰＤＣＣＨ復調部７０１は、復調したＰＤＣＣＨに含まれるＤＣＩの情報をＰＤＳＣＨ復調部７０２へ入力する。ＰＤＳＣＨ復調部７０２は、ＤＣＩの情報に基づいて上位層で通知される制御データや情報ビットを復調する。
【００２８】
また、ＬＴＥ−Ａ  Ｒｅｌ．１０からはキャリアアグリゲーション（ＣＡ）という方式が採用されている。ＣＡとは、複数のＬＴＥ帯域であるンポーネントキャリア（ＣＣ：Component Carrier）が異なる周波数に存在する場合に、同時に複数のＬＴＥ帯域を使用する方式である。そのため、ＣＡは伝送レートの高速化が期待される技術であり、ＬＴＥの次に検討されているＬＴＥ−Ａで仕様化された方式である。この同時に使用するＬＴＥ帯域は、コンポーネントキャリアと称したり、セルもしくはサービングセル（serving cell）と称したりする。
【００２９】
端末装置はＣＡを用いた通信を行う際、複数のセルのうち一つをプライマリセルとして通信を行う。端末装置は基地局装置の指示等に基づいてプライマリセルを他のセルに変更する場合がある。この処理をハンドオーバーと呼ぶこともある。プライマリセルはＣＡを行うシステムにおいて、端末装置毎に異なるＣＣに設定することもできる。即ち、基地局装置からは見た場合、何れＣＣがプライマリセルと一意に決めらない場合があるということである。プライマリセル以外のセルをセカンダリセルと称する。セカンダリセルはプライマリセルや既に接続されているセカンダリセルでセルを追加する情報が端末装置に通知されることにより、通信が開始される。
【００３０】
ＣＡの中でも特に周波数バンドが異なるセルを用いる方式をＩｎｔｅｒｆｒｅｑｕｅｎｃｙ  ＣＡ（インターＣＡ、Inter-CA）と称する。周波数バンドが異なるとは2.4GHz帯と5GHz帯を使用する場合を意味する。また、周波数バンドが同一のセルを用いる方式をＩｎｔｒａ  Ｆｒｅｑｕｅｎｃｙ  ＣＡ（イントラＣＡ、Intra-CA）と称する。周波数バンドが同一とは、それぞれのＣＣの中心周波数が5.2GHz、5.22GHzのようなセルを用いる方式である。端末装置ではインターＣＡの場合、ＲＦ回路を含め、複数の処理回路が必要となるが、イントラＣＡではＲＦ回路は一つで処理が可能である。ＣＡを行う際、単純には基地局装置は、そのセル毎に前述のＰＤＣＣＨ生成部６０４とＰＤＳＣＨ生成部６０３を物理的あるいは論理的に有することになる。また、ＤＬ信号送信部６０６はセル毎に有する場合や、複数のセルで共通の構成をとることができる。
【００３１】
（第１の実施形態）
本実施形態では、ＰＤＣＣＨもしくはＥＰＤＣＣＨを送信する間隔を上位層で準静的あるいは静的に通知し、いくつのサブフレームをリソースとして割り当てるのかをＰＤＣＣＨもしくはＥＰＤＣＣＨに含まれるＤＣＩで送信する場合について示す。また、静的なパラメータとする場合は通知せず、systemで決まった値を使用する場合も想定する。更に、いくつのサブフレームをリソースとして割り当てるのかについて上位層で通知する場合についても、本実施形態は有効である。
【００３２】
図４は、ＬＴＥのフレームを構成する示す図である。本実施形態では、１フレームが１０サブフレームから構成され、１サブフレームが２スロットから構成されている場合について説明する。また、ＰＤＣＣＨが各サブフレームに含まれることが可能な構成である。また、ＤＣＩの送信の効率的な伝送のためにＥＰＤＣＣＨ（Enhanced PDCCH）が導入されていても良く、ＥＰＤＣＣＨも各サブフレームに含まれることが可能な構成である。ただし、ＭＳＳを用いる場合はＰＤＣＣＨ、ＥＰＤＣＣＨのいずれかもしくは両方とも存在しないフレームがあり得る。また、ＰＤＣＣＨとＥＰＤＣＣＨにはダウンリンクのリソース割り当てを行うＤＣＩ、アップリンクのリソース割り当てを行うＤＣＩが含まれる。ＤＣＩには先述の通り、いくつのサブフレームのリソース割り当てに関する情報が含まれるが、そのフレーム数は可変の場合を想定する。可変でない場合は、システムで固定であるか上位層によって準静的なパラメータとして通知される場合があるが、その場合についても本実施形態の発明に含まれる。
【００３３】
図５（ａ）は、本発明に係る基地局装置から端末装置に上位層で通知する信号の一例である。これは、通知方法の一例であり、上位層を通じて端末装置ごとに通知する例である。また、全ての端末装置で共通した情報とする場合は、ブロードキャストにより通知する方法も考えられる。端末装置毎に通知する際は、サブフレームを柔軟にConfigurateすることが可能となり、ブロードキャストで通知する場合は、制御情報があまり多く増加しないというメリットがある。この図に示す、MSS_NUMは、端末装置に通知するＰＤＣＣＨを送信するサブフレーム間隔を示すパラメータである。これにより、各端末装置はMSS_NUMのサブフレーム間隔（周期）でＰＤＣＣＨのブラインドデコーディングを試みればよく、消費電力の削減が可能となる。本図を用いるシステムでは、基地局装置が特定のＰＤＣＣＨを送信するサブフレーム間隔を｛１、２，４，８｝から一つ選択し、端末装置に通知することになる。１サブフレームは１ｍｓのため、基地局装置がＭＳＳ＿ＮＵＭを４として通知した場合、４ｍｓの周期でブラインドデコーディングを行うこととなる。
【００３４】
図５（ｂ）に本発明に係るアップリンクとダウンリンクでMSS_NUMを変更する際のパラメータの通知方法を示す。通常端末装置は各サブフレームについて、MSS_NUM_UPがアップリンクのリソース割り当てを含むＰＤＣＣＨを通知するサブフレーム間隔を示すものであり、MSS_NUM_DOWNは、ダウンリンクのリソース割り当てを含むＰＤＣＣＨを通知するサブフレーム間隔を示すものである。これまで端末装置は１サブフレームにつき、アップリンク用のＰＤＣＣＨ及びダウンリンク用のＰＤＣＣＨの双方をブラインドデコーディングする必要があった。この方式を用いることにより、基地局装置は端末装置にアップリンク、ダウンリンクの何れか一方のみをブラインドデコーディングすればよいサブフレームが設定できる。特にデータ量がアップリンクとダウンリンクで不均衡な場合、ブラインドデコーディングの回数をよりフィッティングすることが可能となる。例えば、ダウンリンクのリソース割り当てのためのＰＤＣＣＨを送信するサブフレーム間隔に４を選択し、アップリンクのリソース割り当てのためのＰＤＣＣＨを送信するサブフレーム間隔に１６を選択した場合は、ダウンリンクのＰＤＣＣＨをブラインドデコーディングする回数の１／４の間隔でアップリンクのリソース割り当てのためのブラインドデコーディングをすればよいので、図５（ａ）の場合と比べて、より消費電力を削減することが可能になる。ここでは、選択できるパラメータが異なる場合を示しているが、その選択肢は同じでも、個別に選択することで同様な効果を得ることができる。また、図５（ｂ）のように、パラメータの選択肢として異なるようにする場合は、一方が他方の公倍数となるようなパラメータを用いると、アップリンクとダウンリンクのリソース割り当てを検出するブラインドデコーディングが同一のサブフレームとなるため、消費電力を削減することができる。
【００３５】
更に図５（ｃ）は、本発明に係る端末装置毎にブラインドデコーディングするサブフレームを変更するためのパラメータを通知する例を示したものである。ここで、MSS_OFFSETは、ＰＤＣＣＨを送信するサブフレームのオフセット値を示すものである。例えばMSS_NUM=4、MSS_OFFSET=1の場合はサブフレーム番号が4×N+1（Nは整数）のサブフレームでＰＤＣＣＨが送信されることを意味する。これにより、ＰＤＣＣＨを送信するサブフレームを端末装置毎に変更することが可能となり、ＰＤＣＣＨがあるサブフレームに集中することを回避することが可能となる。次に図５（ｃ）のパラメータを用いてＭＳＳに関する情報を通知した場合の端末装置の動作について説明する。ただし、MSS_NUM=8、MSS_OFFSET=0、ＤＣＩにて指定されるサブフレーム数を４として説明する。
【００３６】
このようなパラメータが通知された端末装置は、図４におけるサブフレーム番号０、８、１６において、ＰＤＣＣＨのブラインドデコーディングを行う。そして、自端末装置宛のダウンリンクのＤＣＩがあった場合は、端末装置はサブフレーム番号０から３のサブフレームに自分宛のデータがあるとして復調を行う。また、自端末装置宛のアップリンクのＤＣＩがあった場合は、端末装置はサブフレーム番号４から７のサブフレームでデータ伝送を行う。従来のように各サブフレームで、ＰＤＣＣＨとＥＰＤＣＣＨのいずれかもしくは両方があることが想定されるシステムと比べると、前述のダウンリンクの一例ではブラインドデコーディングの回数が１／８になることに加え、サブフレーム番号４から７については、ダウンリンクの動作の必要がなくなるため、消費電力の削減に大きく寄与することになる。
【００３７】
なお、本実施形態では、ＰＤＣＣＨとＥＰＤＣＣＨが送信されるサブフレーム間隔を共通として説明したが、ＰＤＣＣＨとＥＰＤＣＣＨでそれぞれサブフレーム間隔を設定しても良い。また、ＰＤＣＣＨとＥＰＤＣＣＨが送信されるサブフレーム間隔は、セル内で共通のパラメータとしても良い。その場合はＰＤＣＣＨとＥＰＤＣＣＨのＲＥをＰＤＳＣＨの伝送に使用することができ、周波数利用効率を向上させることができる。
【００３８】
以上のように本実施形態では、準静的なパラメータとしてＰＤＣＣＨとＥＰＤＣＣＨでＤＣＩを送信するサブフレーム間隔を上位層で通知することで、端末装置のブラインドデコーディングに回数が削減でき、消費電力の削減に貢献できることについて説明した。
【００３９】
（第２の実施形態）
端末装置がＤＣＩを復調するに際し、ＬＴＥでは、ユーザ固有のサーチスペース（ＵｅＳＳ）と、接続している端末装置で共通のサーチスペース（ＣｏＳＳと称す）が定義されている。ＵｅＳＳは各端末装置で固有のＲＮＴIに基づいて決定されるサーチスペースが決定される。そのため、端末装置毎にブラインドデコーディングするＵｅＳＳの位置が異なる。ＣｏＳＳは全ての端末装置で共通のサーチスペースをブラインドデコードする位置が決められている。このように位置を制限することでブラインドデコーディング数の削減に貢献できる。
【００４０】
実施形態１のように全てのＤＣＩのタイミングを変更する場合は、図５（ａ）のような信号をやりとりすれば、ＵｅＳＳ、ＣｏＳＳとも同一の間隔で処理できる。また、ＵｅＳＳのみに関するＰＤＣＣＨを送信するサブフレーム間隔を設定する場合は同様に図５（ａ）の信号をＵｅＳＳに適用すればよい。ＵｅＳＳとＣｏＳＳでパラメータを設定する場合は、それぞれのパラメータを設定出来るような信号を基地局装置から端末装置に通知する必要がある。図５（ｄ）に本発明に係るＵｅＳＳとＣｏＳＳで異なる通知間隔を設定する場合の信号を示す。この例でMSS_NUM_UeSSはＵｅＳＳの送信間隔を示し、｛4,8,12,16｝から選択できる。また、MSS_NUM_CossはＣｏＳＳの送信間隔を示し、｛1,2,4,8｝から選択できる。このようにすることで、少なくともいずれか一方のＤＣＩのブラインドデコーディングするサブフレーム間隔を長くすることができ、端末装置の消費電力の削減に貢献できる。
【００４１】
以上のように本実施形態では、準静的なパラメータとしてＰＤＣＣＨとＥＰＤＣＣＨでＤＣＩを送信するサブフレーム間隔をにＵｅＳＳとＣｏＳＳでそれぞれ上位層により通知することで、端末装置のブラインドデコーディングに回数が削減でき、消費電力の削減に貢献できることについて説明した。
【００４２】
（第３の実施形態）
本実施形態では、キャリアアグリゲーション（ＣＡ：Ｃａｒｒｉｅｒ  Ａｇｇｒｅｇａｔｉｏｎ）を行う場合のＭＳＳの設定について示す。
【００４３】
ＣＡを行うシステムでＭＳＳを実施する場合、実施形態１で示した図５のパラメータをセル毎（ｓｅｒｖｉｎｇ  ｃｅｌｌ毎）に通知する方法が考えられる。この方式はインターＣＡでは特に有用である。例えば、通信状態のよいセル（周波数バンドが低いセル）は、多くの端末装置が接続する可能性が高いので、ＰＤＣＣＨを送信するサブフレーム間隔を短くして、各端末装置への割り当て機会を増やし、そうでないセルでは、ＰＤＣＣＨの割り当てるサブフレーム間隔を長くして、データの伝送効率を高めるときに有用となる。また、端末装置に対しては、プライマリセルとセカンダリセルを分けることで、端末装置の異なる処理回路に対し別々の処理が可能となる。よって、基地局装置との連続的な接続をプライマリセルで維持しながら、セカンダリセルでは、実施形態１で示したように、消費電力を低くしながら効率的な通信が可能となる。
【００４４】
端末装置のブラインドデコーディングの観点からすると、ＣＡのシステムにおいて全てのセルでブラインドデコーディングしなければならないＰＤＣＣＨが存在するサブフレームが同一の方が消費電力を効率的に削減できる。よって、この状態をデフォルトとするために、セカンダリセルを追加する際、ＭＳＳに関するパラメータはプライマリセルのパラメータをデフォルトで使用する方法が考えられる。このような、方法によれば、新たな情報を追加することなくパラメータを設定出来る。ただし、セカンダリセルを追加後、パラメータの設定変更（リコンフィギュレーション）に関する情報が流れた場合は、ＭＳＳのパラメータを変更できるようにしておけば、ＭＳＳのパラメータを変更できる際のメリットも享受できる。
【００４５】
次にクロスキャリアスケジューリングを行う場合について示す。クロスキャリアスケジューリングとは、あるセルのリソースを割り当てるに際し、そのセルとは異なるセルのＰＤＣＣＨでスケジューリングを行うことである。この場合、使用するパラメータを決定しておかないと端末装置は基地局装置が意図する通りに動作することができない。  それを解決する一つの方法は、ＭＳＳの各パラメータは、ＰＤＣＣＨが送信されるセルのパラメータを使用するものとすることである。  例えば、ＭＳＳで連続的にスケジューリングできるサブフレーム数がセル毎に固定であり、セル毎に異なる値が設定されている場合は、ＰＤＣＣＨを受信したセルのサブフレーム数を適用するという意味である。
【００４６】
同様に、ＭＳＳの各パラメータは実際、スケジューリングされたセルのパラメータを使用するとすることもできる。  例えば、ＭＳＳで連続的にスケジューリングできるサブフレーム数がセル毎に固定であり、セル毎に異なる値が設定されている場合は、実際スケジューリングされるセルのサブフレーム数を適用するという意味である。
【００４７】
（第４の実施形態）
実施形態１から３では、端末装置から見た場合、少なくともＭＳＳを送信するためのＰＤＣＣＨのサブフレーム周期に関する情報と、実際にＰＤＳＣＨを復調するサブフレーム数に関する情報を異なる方法で通知される場合について示した。本実施形態では、いずれの情報もＰＤＣＣＨに含まれるＤＣＩによって通知される場合を説明する。
【００４８】
従来のシステムでは、通常、ＰＤＣＣＨは全てのサブフレームで端末装置がデコードすることが前提となっているため、端末装置はＰＤＣＣＨに自端末装置宛のＤＣＩがなくても復調することになり、消費電力が無駄となる。そこで、ＤＣＩに次のＰＤＣＣＨまでの送信サブフレーム間隔情報を定義すれば、端末装置は一定のサブフレームの期間で、ブラインドデコーディングする必要がなく、消費電力を削減することができる。具体的には数ビット用意し、次のＰＤＣＣＨを送信するまでのサブフレーム間隔等を示せばよい。
【００４９】
あるいはＰＤＣＣＨを送信するサブフレームの周期に関する情報が実施形態１から３で示したように他の方法で通知等されている場合は、１ビットを用意し、そのビットが有効である場合は、別の方法等で通知されたサブフレームの周期を有効にし、無効である場合は通常の動作通り、ＰＤＣＣＨをブラインドデコーディングする方法も考えられる。この方法によれば、ＰＤＣＣＨを送信するサブフレーム間隔を基地局装置が適応的に制御できるため、端末装置の消費電力の削減を実行しながら、効率的なシステム運用が実現できる。
【００５０】
更に、前記ＤＣＩはサーチスペース毎に定義することもできる。ＣｏＳＳで通知されるＤＣＩのサブフレーム間隔の情報はＣｏＳＳでのみ有効とし、ＵｅＳＳで通知されるサブフレーム間隔の情報はＣｏＳＳのみで有効とする方法である。また、複数のＣＣを用いるＣＡでは、ＣＣ毎に有効とする方法、あるいは、一つのＣＣで通知されたサブフレーム間隔の情報を全てのＣＣで有効にするという方法が考えられる。例えば、プライマリセルで通知されたサブフレーム間隔をセカンダリセルにも適用する等である。効果は実施形態３で示したものと同様であり、それぞれインターＣＡ、イントラＣＡで有効である。
【００５１】
（第５の実施形態）
ＭＳＳを使用する場合、通信モードを設定する方法も考えられる。通信モードとは、例えば、ＳＵ−ＭＩＭＯで通信をするモード、ＭＵ−ＭＩＭＯで通信をするモード等、通信方式でモードを設定し、そのモードに関連するＰＤＣＣＨのみを復調することで、ブラインドデコーディングの回数を削減できる方法でＬＴＥ  ＲＥｌ．８では既に採用されている。
【００５２】
これに、ＭＳＳモードを新たに設け、ＭＳＳモードを指定された端末装置はあらかじめ、決められた所定のサブフレーム間隔でＰＤＣＣＨをデコードすることになる。この方法によれは、ＰＤＣＣＨを送信するサブフレーム間隔等を固定にしておけば、制御データをやりとりする必要はなくなる。また、複数のＭＳＳモードを設け、ＰＤＣＣＨでＤＣＩを送信するサブフレーム間隔等を半固定（各ＭＳＳモードに依存した値とする）とすることも可能である。また、ＭＳＳモードを設けたうえで、実施形態１から４の方法を実施する方法も考えられる。
【００５３】
本実施形態ではブラインドデコーディングの回数を削減することできるというメリットについて示してきたが、ＰＤＣＣＨの送信サブフレームを全ての端末装置についてそろえることができれば、ＰＤＣＣＨを送信しなくてよいサブフレームを創出することができるので、システム全体の通信効率が改善するというメリットも生じる。
【００５４】
また、全ての実施形態について、ＰＤＣＣＨを送信するサブフレーム間隔について説明してきたが、リソースを確保するための制御信号に適用可能である。例えばＬＴＥシステムで検討されているＥＰＤＣＣＨがその例である。ＥＰＤＣＣＨとＰＤＣＣＨの違いの一つはＰＤＣＣＨが、送信タイミング等が制限されていることに対し（例えばサブフレーム内の先頭から１番目〜４番目のＯＦＤＭシンボル）、ＥＰＤＣＣＨはそのような制限がないことである。また、ＰＤＣＣＨの送信間隔をサブフレーム単位で
【００５５】
本発明に関わる基地局装置および端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００５６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置および端末装置の一部、又は全部を典型的には集積回路であるＬＳＩとして実現してもよい。基地局装置および端末装置の各機能ブロックは個別にチップ化してもよいし、一部、又は全部を集積してチップ化してもよい。また、集積回路化の手法はＬＳＩに限らず専用回路、又は汎用プロセッサで実現してもよい。各機能ブロックを集積回路化した場合に、それらを制御する集積回路制御部が付加される。
【００５７】
また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【００５８】
また、本願発明は上述の実施形態に限定されるものではない。本願発明の端末装置は、移動局装置への適用に限定されるものではなく、屋内外に設置される据え置き型、又は非可動型の電子機器、たとえば、ＡＶ機器、キッチン機器、掃除・洗濯機器、空調機器、オフィス機器、自動販売機、その他生活機器などに適用出来ることは言うまでもない。
【００５９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【００６０】
１０１…基地局装置
１０２…端末装置
１０３…端末装置
６０３…ＰＤＳＣＨ生成部
６０４…ＰＤＣＣＨ生成部
６０５…信号多重部
６０６…ＤＬ信号送信部
６０７…送信アンテナ
７０３…受信アンテナ
７００…ＤＬ信号受信部
７０１…ＰＤＣＣＨ復調部
７０６…ＰＤＳＣＨ復調部
【図１】
2016157990.tif 000003
【図２】
2016157990.tif 000004
【図３】
2016157990.tif 000005
【図４】
2016157990.tif 000006
【図５】
2016157990.tif 000007